(57)【要約】本発明は回路保護方法を提供し、前記方法は、送信端が送信した電圧或いは電流を受信し、そして受信した電圧値或いは電流値をサンプリングすることと、サンプリングした電圧値或いは電流値が予め設定された第1の閾値範囲にあることを検出した場合、予め設定された入力制御スイッチをオンにするように制御し、送信端の電圧或いは電流の入力を受信し、そして受信した電圧或いは電流に対して変換処理を行い、処理後の電圧或いは電流の電圧値或いは電流値をサンプリングすることと、前記処理後の電圧値或いは電流値が予め設定された第２の閾値範囲にあることを検出した場合、予め設定された出力制御スイッチをオンにするように制御し、前記処理後の電圧或いは電流の出力を許可することとを含む。同時に、本発明は回路保護装置、充電設備及びコンピュータ記憶媒体をさらに提供した。【選択図】図１
2016536954.tif 000002
【特許請求の範囲】
【請求項１】
回路保護方法であって、
送信端が送信した電圧或いは電流を受信し、そして受信した電圧値或いは電流値をサンプリングすることと、
サンプリングした電圧値或いは電流値が予め設定された第1の閾値範囲にあることを検出した場合、予め設定された入力制御スイッチをオンにするように制御して、送信端の電圧或いは電流の入力を受信し、そして受信した電圧或いは電流に対して変換処理を行い、処理後の電圧或いは電流の電圧値或いは電流値をサンプリングすることと、
前記処理後の電圧値或いは電流値が予め設定された第２の閾値範囲にあることを検出した場合、予め設定された出力制御スイッチをオンにするように制御して、前記処理後の電圧或いは電流の出力を許可することとを含む、前記回路保護方法。
【請求項２】
サンプリングした電圧値或いは電流値が前記第1の閾値範囲を超えることを検出した場合、前記入力制御スイッチをオフにするように制御し、送信端の電圧或いは電流の入力を遮断し、そして前記送信端に通知メッセージを送信することをさらに含む
請求項１に記載の回路保護方法。
【請求項３】
受信した電圧或いは電流に対して処理を行うことは、
受信した電圧或いは電流に対して整流、分圧または分流、交直流の変換の処理を行うことをさらに含む
請求項１に記載の回路保護方法。
【請求項４】
前記処理後の電圧値或いは電流値が予め設定された第２の閾値範囲を超えることを検出した場合、前記出力制御スイッチをオフにするように制御し、前記処理後の電圧或いは電流の出力を禁止することをさらに含む
請求項１に記載の回路保護方法。
【請求項５】
回路保護装置であって、
送信端が送信した電圧値或いは電流値をサンプリングするように構成されるサンプリングユニットと、
前記電圧値或いは電流値が予め設定された第1の閾値範囲にあることを検出した場合、制御ユニットをトリガーするように構成される第１検出ユニットと、
送信端の電圧或いは電流が入力されるように、予め設定された入力制御スイッチをオンにするように制御するように構成される制御ユニットと、
受信した電圧或いは電流に対して変換処理を行うように構成される変換処理ユニットと、
処理後の電圧或いは電流の電圧値或いは電流値をサンプリングするように構成されるサンプリングユニットと、
前記処理後の電圧値或いは電流値が予め設定された第２の閾値範囲にあることを検出した場合、前記制御ユニットをトリガーするように構成される第２検出ユニットと、
予め設定された出力制御スイッチをオンにするように制御して、前記処理後の電圧或いは電流の出力を許可するように構成される制御ユニットとを備える、前記回路保護装置。
【請求項６】
前記第１検出ユニットは、さらに前記電圧値或いは電流値が前記第1の閾値範囲を超えることを検出した場合、前記制御ユニットをトリガーするように構成され、
前記制御ユニットは、前記入力制御スイッチをオフにするように制御して、送信端の電圧或いは電流の入力を遮断し、そして送信端に通知メッセージを送信するように構成される
請求項５に記載の回路保護装置。
【請求項７】
受信した電圧或いは電流に対して整流、分圧または分流、交直流の変換の処理を行うように構成される変換処理ユニットをさらに備える
請求項５に記載の回路保護装置。
【請求項８】
前記第２検出ユニットは、さらに前記処理後の電圧値或いは電流値が予め設定された第２の閾値範囲を超えることを検出した場合、前記制御ユニットをトリガーするように構成され、
前記制御ユニットは、さらに前記出力制御スイッチをオフにするように制御して、前記処理後の電圧或いは電流の出力を禁止するように構成される
請求項７に記載の回路保護装置。
【請求項９】
充電設備であって、
請求項５〜８のいずれか１項に記載の回路保護装置を備える、前記充電設備。
【請求項１０】
コンピュータ記憶媒体であって、
請求項１〜４のいずれか１項に記載の回路保護方法を実行するためのコンピュータ実行可能な命令を記憶している、前記コンピュータ記憶媒体。
【発明の詳細な説明】
【技術分野】
【０００１】
本発明は無線充電の技術に関し、具体的に無線充電の過程での回路保護方法、回路保護装置、充電設備及びコンピュータ記憶媒体に関する。
【背景技術】
【０００２】
産業の急速な発展に伴い、電気自動車、電動自転車はすでに人々の生活に入ってきた。燃料の自動車に比べて、電気自動車、電動自転車は電気エネルギーの資源を充分に利用し、大幅に環境汚染を減らす。
【０００３】
現在、電気自動車、電動自転車に対して無線充電を行うことはホットな研究課題となった。
【０００４】
無線充電の技術は電磁波の誘導の原理を利用し、電磁波の信号の送信端に（電気エネルギーの送信端）と電磁波の信号の受信端（電気エネルギーの受信端）にそれぞれ例えばコイルのような電磁波の送受信装置が内蔵され、有線電源に接続された送信端はコイルを利用して電磁信号を生成し、受信端のコイルが送信端の生成した電磁信号を誘導して電流、電圧を生成して電池を充電する。
【０００５】
実際に応用において、電気自動車、電動自転車に対して無線充電を行う電気エネルギーの送信端は、例えば主電源のような電源システムである。電気エネルギーの受信端の電気自動車の充電設備として送信端の電気エネルギーを受信し、そして受信した電気エネルギーに対して整流、分圧または分流、交直流の変換等一連の処理を行い、処理後の電圧或いは電流を電池に入力し、電池に対して充電を行う。もしも電池が受信した電圧或いは電流が大きすぎると、電池が破損しやすい、同時に潜在的な充電安全上の問題をもたらす。
【発明の概要】
【発明が解決しようとする課題】
【０００６】
これを鑑みて、本発明の実施形態は、自動的に無線充電の過程で発生した故障を検出することができ、電池の破損確率を低減し、無線充電の安全性を向上させた、回路保護方法、回路保護装置、充電設備及びコンピュータ記憶媒体を提供することにある。
【課題を解決するための手段】
【０００７】
本発明の実施形態の技術方案は、以下のように実現される。
【０００８】
本発明の実施形態は回路保護方法を提供し、前記方法は、
送信端が送信した電圧或いは電流を受信し、そして受信した電圧値或いは電流値をサンプリングすることと、
サンプリングした電圧値或いは電流値が予め設定された第1の閾値範囲にあることを検出した場合、予め設定された入力制御スイッチをオンにするように制御し、送信端の電圧或いは電流の入力を受信し、そして受信した電圧或いは電流に対して変換処理を行い、処理後の電圧或いは電流の電圧値或いは電流値をサンプリングすることと、
前記処理後の電圧値或いは電流値が予め設定された第２の閾値範囲にあることを検出した場合、予め設定された出力制御スイッチをオンにするように制御し、前記処理後の電圧或いは電流の出力を許可することとを含む。
【０００９】
上記方案において、前記方法は、
サンプリングした電圧値或いは電流値が前記第1の閾値範囲を超えることを検出した場合、前記入力制御スイッチをオフにするように制御し、送信端の電圧或いは電流の入力を遮断し、そして前記送信端に通知メッセージを送信することをさらに含む。
【００１０】
上記方案において、受信した電圧或いは電流に対して処理を行い、前記方法は、
受信した電圧或いは電流に対して整流、分圧または分流、交直流の変換の処理を行うことをさらに含む。
【００１１】
上記方案において、前記方法は、
前記処理後の電圧値或いは電流値が予め設定された第２の閾値範囲を超えることを検出した場合、前記出力制御スイッチをオフにするように制御し、前記処理後の電圧或いは電流の出力を禁止することをさらに含む。
【００１２】
本発明の実施形態はまた回路保護装置を提供し、前記装置は、
送信端が送信した電圧値或いは電流値をサンプリングするように構成されるサンプリングユニットと、
前記電圧値或いは電流値が予め設定された第1の閾値範囲にあることを検出した場合、制御ユニットをトリガーするように構成される第１検出ユニットと、
送信端の電圧或いは電流が入力されるように、予め設定された入力制御スイッチをオンにするように制御するように構成される制御ユニットと、
受信した電圧或いは電流に対して変換処理を行うように構成される前記変換処理ユニットと、
処理後の電圧或いは電流の電圧値或いは電流値をサンプリングするように構成されるサンプリングユニットと、
前記処理後の電圧値或いは電流値が予め設定された第２の閾値範囲にあることを検出した場合、前記制御ユニットをトリガーするように構成される第２検出ユニットと、
予め設定された出力制御スイッチをオンにするように制御して、前記処理後の電圧或いは電流の出力を許可するように構成される制御ユニットとを備える。
【００１３】
上記方案において、前記第１検出ユニットは、さらに電圧値或いは電流値が前記第1の閾値範囲を超えることを検出した場合、前記制御ユニットをトリガーするように構成され、
前記制御ユニットは、前記入力制御スイッチをオフにするように制御し、送信端の電圧或いは電流の入力を遮断し、そして送信端に通知メッセージを送信するように構成される。
【００１４】
上記方案において、前記装置は、受信した電圧或いは電流に対して整流、分圧または分流、交直流の変換の処理を行うように構成される変換処理ユニットをさらに備える。
【００１５】
上記方案において、前記第２検出ユニットは、さらに上記処理後の電圧値或いは電流値が予め設定された第２の閾値範囲を超えることを検出した場合、前記制御ユニットをトリガーするように構成され、
前記制御ユニットは、さらに前記出力制御スイッチをオフにするように制御して、前記処理後の電圧或いは電流の出力を禁止するように構成される。
【００１６】
本発明の実施形態はまた充電設備を提供し、前記充電設備は上記の回路保護装置を備える。
【００１７】
本発明の実施形態はまたコンピュータ記憶媒体を提供し、前記コンピュータ記憶媒体は、上記の回路保護方法を実行するためのコンピュータ実行可能な命令を記憶している。
【００１８】
本発明の実施形態は回路保護方法、回路保護装置、充電設備及びコンピュータ記憶媒体を提供し、前記方法は、送信端が送信した電圧或いは電流を受信し、そして受信した電圧値或いは電流値をサンプリングすることと、サンプリングした電圧値或いは電流値が予め設定された第1の閾値範囲にあることを検出した場合、予め設定された入力制御スイッチをオンにするように制御して、送信端の電圧或いは電流の入力を受信し、そして受信した電圧或いは電流に対して変換処理を行い、処理後の電圧或いは電流の電圧値或いは電流値をサンプリングすることと、前記処理後の電圧値或いは電流値が予め設定された第２の閾値範囲にあることを検出した場合、予め設定された出力制御スイッチをオンにするように制御して、前記処理後の電圧或いは電流の出力を許可することとを含む。本発明の実施形態の技術方案を利用すれば、不法な電圧値或いは電流値の検出を実現することができて、不法な電圧値或いは電流値が電池側に入力されることができない。そのように、電池の破損確率を低減し、無線充電の安全性を向上させた。
【図面の簡単な説明】
【００１９】
【図１】本発明の実施形態に係る回路保護方法の流れを示す図である。
【図２】本発明の実施形態に係る回路保護方法の具体的に実現する流れを示す図である。
【図３】本発明の実施形態に係る回路保護装置の構成を示す図である。
【発明を実施するための形態】
【００２０】
本発明の実施形態の後続技術方案においては、不法な（不適正な）電圧値或いは電流値の検出を実現することができて、不法な電圧値或いは電流値が電池側に入力されることができない。同時に、電気エネルギーの受信端に充電電圧/電流が大きすぎるなどの問題がある場合、直ちに電気エネルギーの送信端に通知することができ、潜在的な充電安全上の問題を解決するために有効な方法を提供する。
【００２１】
本発明の実施形態は回路保護方法を提供し、図１に示すように、前記方法は以下を含む。
【００２２】
ステップ１１において、電気エネルギーの受信端（受信端と略称する）は電気エネルギーの送信端（送信端と略称する）が送信した電圧或いは電流を受信し、そして受信した電圧値或いは電流値をサンプリングする。
【００２３】
ステップ１２において、サンプリングした電圧値或いは電流値が予め設定された第1の閾値範囲にあることを検出した場合、受信端に設定された入力制御スイッチをオンにするように制御し、送信端の電圧或いは電流の入力を受信する。
【００２４】
ステップ１３において、そして受信した電圧或いは電流に対して変換処理を行い、処理後の電圧或いは電流の電圧値或いは電流値をサンプリングする。
【００２５】
ステップ１４において、前記処理後の電圧値或いは電流値が予め設定された第２の閾値範囲にあることを検出した場合、予め設定された出力制御スイッチをオンにするように制御し、前記処理後の電圧或いは電流の出力を許可する。
【００２６】
本発明の実施形態に係る送信端と受信端はそれぞれに無線送受信装置が内蔵され、電気自動車、電動自転車に応用されるだけなくて、また端末の無線充電の過程に応用されることもできる。
【００２７】
サンプリングした電圧値或いは電流値が前記第1の閾値範囲を超えることを検出した場合、前記入力制御スイッチをオフにするように制御し、送信端の電圧或いは電流の入力を遮断し、そして送信端に通知メッセージを送信して、送信端が電圧或いは電流を再送信する必要があることを通知する。
【００２８】
ここからわかるように、本発明の実施形態において、受信端は先に収集した送信端により送信された電圧値或いは電流値に対して検出を行い、電圧値或いは電流値が受信端の許容可能な範囲内にあることを検出した場合、入力制御スイッチをオンにするように制御することにより、受信端が送信端により送信された電圧値或いは電流値を受信することを許可する。このように、受信端により受信された電圧或いは電流の安全性を保障した。
【００２９】
ここで、前記受信した電圧或いは電流に対して変換処理を行うことは、具体的に、以下のとおりである。
【００３０】
受信端は、受信した電圧或いは電流に対して整流、分圧または分流、交直流の変換等一連の処理を行う後に、処理後の電圧或いは電流の電圧値或いは電流値をサンプリングし、前記処理後の電圧値或いは電流値が予め設定された第２の閾値範囲にあるかどうかを検出する。前記処理後の電圧値或いは電流値が予め設定された第２の閾値範囲にあることを検出した場合、予め設定された出力制御スイッチをオンにするように制御して、前記処理後の電圧或いは電流の出力を許可し、具体的に電池に出力することができて、電池を充電する。
【００３１】
前記方法はさらに、
サンプリングした上記処理後の電圧値或いは電流値が予め設定された第２の閾値範囲を超えることを検出した場合、前記出力制御スイッチをオフにするように制御し、前記処理後の電圧或いは電流の出力を禁止する。そして受信端が受信した電圧或いは電流に対して再び整流、分圧または分流、交直流の変換等の処理を行って、受信端が出力した電圧値或いは電流値が電池の入力要件を満たすことができるようにする。
【００３２】
前記第1の閾値範囲、第２の閾値範囲は実際の状況に応じて柔軟に設定することができる。
【００３３】
本発明の実施形態において、処理後の電圧或いは電流を電池に出力する前に、また電圧値或いは電流値に対して合法（適正）かどうかを検出し、合法であることを検出する場合、出力制御スイッチをオンにするように制御することにより、電圧或いは電流を電池に出力して、電池を充電し、不法であることを検出する場合、出力制御スイッチをオフにするように制御して、出力を禁止する。そのように、電池の安全性を保障し、電池の破損確率を減少した。
【００３４】
図２は本発明の実施形態に係る回路保護方法の具体的に実現する流れを示す図であり、以下、図２を結び付けて本発明の実施形態の技術方案に対してさらに説明する。
【００３５】
ステップ３０１において、送信端が送信した電圧値或いは電流値をサンプリングする。
【００３６】
ここで、受信端は無線通信のインタフェースによって送信端が送信した電圧或いは電流を受信し、そしてセンサーによって電圧値或いは電流値をサンプリングする。
【００３７】
ステップ３０２において、サンプリングした電圧値或いは電流値が予め設定された第1の閾値範囲にあるかを検出し、はいである場合、ステップ３０３を実行し、いい得である場合、ステップ３０４を実行する。
【００３８】
ステップ３０３において、入力制御スイッチをオンにするように制御し、送信端が送信した電圧或いは電流の入力を許可し、続いてステップ３０５を実行する。
【００３９】
ステップ３０４において、送信端に通知メッセージを送信し、送信端に電圧或いは電流を再送信することを通知する。前記送信端はその通知メッセージを受信した場合、受信端に電圧或いは電流を再送信し、続いてステップ３０１を実行する。
【００４０】
ステップ３０５において、受信した電圧或いは電流に対して整流、分圧または分流、交直流の変換等一連の処理を行う。
【００４１】
ここで、上記の処理を行うことは処理後の電圧或いは電流がさらに電池の入力要件を満たすためにある。
【００４２】
ステップ３０６において、上記処理後の電圧或いは電流に対してサンプリングを行い、電圧値或いは電流値を得る。
【００４３】
ステップ３０７において、サンプリングした処理後の電圧値或いは電流値が第２の閾値範囲にあるかを検出し、はいである場合、ステップ３０８を実行し、いいえである場合、ステップ３０９を実行する。
【００４４】
ステップ３０８において、前記出力制御スイッチをオンにするように制御し、前記処理後の電圧或いは電流を電池に出力し、現在の流れを終了する。
【００４５】
ステップ３０９において、出力制御スイッチをオフにするように制御し、そして受信端が受信した電圧或いは電流に対して再び整流、分圧または分流、交直流の変換等の処理を行い、そして処理を完了した後に続いてステップ３０６を実行する。
【００４６】
本発明の実施形態はまたコンピュータ記憶媒体を提供し、前記コンピュータ記憶媒体は、上記の回路保護方法を実行するためのコンピュータ実行可能な命令を記憶している。
【００４７】
上記回路保護方法に基づいて、また本発明の実施形態は回路保護装置を提供し、図３に示すように、前記装置は、サンプリングユニット４１、第１検出ユニット４２、制御ユニット４３、変換処理ユニット４４、第２検出ユニット４５を含む。
【００４８】
前記サンプリングユニット４１は、送信端が送信した電圧値或いは電流値をサンプリングするように構成される。
【００４９】
前記第１検出ユニット４２は、前記電圧値或いは電流値が予め設定された第1の閾値範囲にあることを検出した場合、前記制御ユニット４３をトリガーするように構成される。
【００５０】
前記制御ユニット４３は、予め設定された入力制御スイッチをオンにするように制御し、送信端の電圧或いは電流を入力することができるように構成される。
【００５１】
前記変換処理ユニット４４は、受信した電圧或いは電流に対して変換処理を行うように構成される。
【００５２】
前記サンプリングユニット４１は、さらに処理後の電圧或いは電流の電圧値或いは電流値をサンプリングするように構成される。
【００５３】
前記第２検出ユニット４５は、前記処理後の電圧値或いは電流値が予め設定された第２の閾値範囲にあることを検出した場合、前記制御ユニット４３をトリガーするように構成される。
【００５４】
前記制御ユニット４３は、さらに予め設定された出力制御スイッチをオンにするように制御し、前記処理後の電圧或いは電流の出力を許可するように構成される。
【００５５】
好ましくは、前記第１検出ユニット４２は、サンプリングユニット４１がサンプリングした電圧値或いは電流値が第1の閾値範囲を超えることを検出した場合、前記制御ユニット４３をトリガーする。前記制御ユニット４３は、前記入力制御スイッチをオフにするように制御し、送信端の電圧或いは電流の入力を遮断する。同時に、前記制御ユニット４３は、さらに前記変換処理ユニット４４をトリガーして送信端に通知メッセージを送信して、送信端に電圧或いは電流を再送信する必要があることを通知するように構成される。
【００５６】
前記変換処理ユニット４４は、受信した電圧或いは電流に対して再び整流、分圧または分流、交直流の変換の処理を行い、そして処理後の電圧或いは電流を出力するように構成される。
【００５７】
ここで、前記変換処理ユニット４４は、処理後の電圧或いは電流を電池に出力して、電池を充電する。
【００５８】
前記サンプリングユニット４１は、前記変換処理ユニット４４が処理後の電圧或いは電流をサンプリングし、処理後の電圧値或いは電流値を得て、そして前記第２検出ユニット４５に前記処理後の電圧値或いは電流値を転送するように構成される。
【００５９】
前記第２検出ユニット４５は、前記処理後の電圧値或いは電流値が予め設定された第２の閾値範囲にあることを検出した場合、前記制御ユニット４３をトリガーするように構成される。
【００６０】
前記制御ユニット４３は、さらに予め設定された出力制御スイッチをオンにするように制御して、前記変換処理ユニット４４が処理後の電圧或いは電流の出力を許可するように構成される。
【００６１】
前記第２検出ユニット４５は、さらに上記処理後の電圧値或いは電流値が予め設定された第２の閾値範囲を超えることを検出した場合、前記制御ユニット４３をトリガーするように構成される。
【００６２】
前記制御ユニット４３は、さらに予め設定された出力制御スイッチをオフにするように制御して、前記変換処理ユニット４４が処理後の電圧或いは電流の出力を禁止するように構成される。
【００６３】
ここで、前記制御ユニット４３が出力制御スイッチをオフにするように制御する場合、前記変換処理ユニット４４は、受信端が受信した電圧或いは電流に対して再び整流、分圧または分流、交直流の変換等の処理を行い、処理を完了した後に、前記サンプリングユニット４１をトリガーする。前記サンプリングユニット４１は、上記の処理後の電圧或いは電流の電圧値或いは電流値に対してサンプリングを行い、そしてサンプリングした電圧値或いは電流値を前記第１検出ユニット４２に転送し、前記第１検出ユニット４２は、前記電圧値或いは電流値が前記第1の閾値範囲にあるかどうかに対して再び検出する。
【００６４】
本発明の実施形態において、第１検出ユニット４２が送信端により送信された電圧値或いは電流値に対して検出し、電圧値或いは電流値が受信端の許容可能な範囲内にあることを検出する場合、制御ユニット４３が入力制御スイッチをオンにするように制御することにより、送信端が送信した電圧或いは電流を受信することを許可する。このように、受信端が受信した電圧或いは電流の安全性を保障した。変換処理ユニット４４が処理後の電圧或いは電流を電池に出力する前に、また第２検出ユニット４５が電圧値或いは電流値に対して合法であるかを検出し、合法であることを検出した場合、前記制御ユニット４３が出力制御スイッチをオンにするように制御することにより、変換処理ユニット４４をトリガーして合法な電圧或いは電流を電池に出力する。第２検出ユニット４５が処理後の電圧或いは電流が不法であることを検出した場合、前記制御ユニット４３が出力制御スイッチをオフにするように制御し、変換処理ユニット４４が不法な電圧或いは電流を電池に出力することができない。そのように、電池の安全性を保障し、電池の破損確率を減少し、無線充電の安全性を向上させた。
【００６５】
本発明の実施形態はまた充電設備を提供し、充電設備は上記の回路保護装置を含む。
【００６６】
本分野の当業者は、図３に示した回路保護装置の各処理ユニットの機能を実現することは上記回路保護方法の関連記載を参照して理解できることを理解すべきである。本分野の当業者は、図３に示した回路保護装置の各処理ユニットの機能はプロセッサの上に実行するプログラムによって実現されることができ、具体的な論理回路によって実現されることもできることを理解すべきである。
【００６７】
実際の使用において、前記サンプリングユニット４１、第１検出ユニット４２、制御ユニット４３、変換処理ユニット４４、第２検出ユニット４５はいずれも中央処理ユニット（ＣＰＵ：Ｃｅｎｔｒａｌ  Ｐｒｏｃｅｓｓｉｎｇ  Ｕｎｉｔ）、或いはディジタル信号処理（ＤＳＰ：Ｄｉｇｉｔａｌ  Ｓｉｇｎａｌ  Ｐｒｏｃｅｓｓｏｒ）、或いはマイクロ・プロセッサ（ＭＰＵ：Ｍｉｃｒｏ  Ｐｒｏｃｅｓｓｏｒ  Ｕｎｉｔ）、或いはフィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙ）等によって実現される。前記ＣＰＵ、ＤＳＰ、ＭＰＵ、ＦＰＧＡはいずれも充電設備に内蔵され、具体的に電気自動車、電動自転車或いは端末の充電設備である。
【００６８】
本分野の当業者は、本発明の実施形態が方法、システムまたはコンピュータプログラム製品として提供されることができると理解すべきである。従って、本発明は、ハードウェア実施形態、ソフトウェア実施形態、またはハードウェア実施形態およびソフトウェア実施形態を組み合わせた形態を使用することができる。しかも、本発明は、コンピュータ使用可能プログラムコードを含む１つ以上のコンピュータで使用可能な記憶媒体（磁気ディスク記憶装置と光メモリなどを含むがこれらに限られない）に実施されるコンピュータプログラム製品の形態を使用することができる。
【００６９】
本発明は、本発明の実施形態による方法、装置（システム）とコンピュータプログラム製品のフローチャートおよび／またはブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサとして１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【００７０】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【００７１】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【００７２】
以上は、本発明の最適的な実施形態に過ぎなく、本発明の保護範囲を制限するためのものではない。
【産業上の利用可能性】
【００７３】
本発明の実施形態は回路保護方法、回路保護装置、充電設備及びコンピュータ記憶媒体を提供し、前記方法は、送信端が送信した電圧或いは電流を受信し、そして受信した電圧値或いは電流値をサンプリングすることと、サンプリングした電圧値或いは電流値が予め設定された第1の閾値範囲にあることを検出した場合、受信端に設定された入力制御スイッチをオンにするように制御して、送信端の電圧或いは電流の入力を受信し、そして受信した電圧或いは電流に対して変換処理を行い、処理後の電圧或いは電流の電圧値或いは電流値をサンプリングすることと、前記処理後の電圧値或いは電流値が予め設定された第２の閾値範囲にあることを検出した場合、予め設定された出力制御スイッチをオンにするように制御して、前記処理後の電圧或いは電流の出力を許可することとを含む。本発明の実施形態の技術方案を利用すれば、不法な電圧値或いは電流値の検出を実現することができて、不法な電圧値或いは電流値が電池側に入力されることができない。そのように、電池の破損確率を減少し、無線充電の安全性を向上させた。
【図１】
2016536954.tif 000003
【図２】
2016536954.tif 000004
【図３】
2016536954.tif 000005
【国際調査報告】
2016536954.tif 000006
2016536954.tif 000007
2016536954.tif 000008
2016536954.tif 000009